(57)【要約】      （修正有）【課題】所有者あるいは受託者のみが捺印可能にするため、特定化した捺印の阻止および阻止の解除を行う、錠前装置と、捺印を阻止する固止部を印鑑本体に内蔵すると共に、鍵の忘紛失に煩わされることがなく、携帯に便利で安全であり、通常の印鑑と同様に簡便に使用できる錠前装置内蔵の印鑑を提供する。【解決手段】印鑑本体１に、錠前装置及び、連動する、捺印阻止部材２を固止する固止部を内蔵し、前記固止部に捺印阻止部材を係止し、錠前装置のダイヤル１０またはボタン等から成る数字および、または記号の符合部を作動し、前記数字または記号を予め設定した符合に合致させない限り前記固止部の固止が解除しない。また、捺印阻止を実現するために、捺印阻止部材を筒状部材、蓋、回動蓋、棒状部材、回転体等、印面近辺において捺印を阻止、あるいは阻止が解除される構成とし、分離所持する鍵などの解施錠具を必要としない錠前装置内蔵の印鑑とした。【選択図】図１
2006035838.tif 000002
【特許請求の範囲】
【請求項１】
印鑑の、印面を含む本体に錠前装置を内蔵し、当該印鑑本体の印面近辺に捺印阻止部材を係合し、
前記錠前装置に連動する係止手段を用いて、前記捺印阻止部材の移動を固止することにより捺印を阻止し、
さらに、従来の錠前または印鑑周辺から分離される金属鍵に代わる、印鑑所有者が記憶または記録所有し、または発信可能な符合手段を行使して、数字および、または記号または信号を符合し、内蔵する錠前装置を前記印鑑本体において操作することにより前記係止手段による固止を解除し、捺印可能となす解錠手段を具えることを特徴とする、錠前装置内蔵の、印鑑。
【請求項２】
前記錠前装置を内蔵する印鑑の一部に単数もしくは複数のダイヤルおよび、またはボタンを具え、
これらのダイヤルおよび、またはボタンを操作して特定の数字および、または記号を符合させることにより、前記係止手段による前記捺印阻止部材の固止を解除し、
前記特定の数字および、または記号の符合を乱すことにより固止状態に戻すことを可能とする、請求項１の錠前内蔵の印鑑。
【請求項３】
前記捺印阻止部材が、印面を含む印鑑本体の外周に係合する筒状部材である、請求項１または２の錠前装置内蔵の、印鑑。
【請求項４】
前記捺印阻止部材が、印面を含む印鑑本体に係合する蓋である、請求項１ないし３の錠前装置内蔵の、印鑑。
【請求項５】
捺印を阻止する手段が、印面の一部から、前記捺印阻止部材である棒状部材がスライドして印面と同一面において、または同一面より更に突出することにより、捺印することを阻止する手段であり、
前記解錠手段を用いて、前記棒状部材を印面以内に引き込むことにより捺印を可能にする、請求項１または２の錠前装置内蔵の、印鑑。
【請求項６】
前記捺印阻止部材が、前記印鑑本体の前記印面の近辺に設けられた、偏心する軸を回動させる回転体であり、前記回転体が前記軸に対して、長寸面と短寸面を、異なる方向に向けて具え、
前記偏心する軸の、長寸面が前記印面に向けて回動し、捺印を阻止する位置に突出すると共に、前記錠前装置に連動する係止手段を用いて回転体の回動を固止することにより捺印を阻止し、
さらに、前記解錠手段を用いて前記回転体の回動の固止を解除し、前記偏心に対する、長寸面を前記印面より奥の捺印を阻止しない位置に回動して、捺印を可能にする、請求項１または２、または５の錠前装置内蔵の、印鑑。
【請求項７】
前記錠前装置に電子制御装置を組み込むことにより、前記特定の数字および、または記号の符合などの前記係止手段を構成電子回路によって制御し、
前記捺印阻止手段の固止または固止の解除を可能にする、請求項１ないし６の錠前装置内蔵の、印鑑。
【請求項８】
前記錠前装置の解錠状態において、前記解錠手段である前記特定の数字および、または記号の符合を変更設定可能とする、請求項１ないし７の錠前装置内蔵の、印鑑。
【発明の詳細な説明】
【技術分野】
【０００１】  本発明は、所有者等の特定の者のみが捺印できるよう、第三者による捺印を阻止できる装置を内蔵することにより、他者の不正な捺印を阻止するとともに、従来の錠前装置の如く金属鍵などを分離所持する必要が無く、印鑑本体のみに於ける解錠操作によって捺印の阻止および解錠後捺印可能にすることにより、鍵の紛失や忘失に煩わされることなく一般の印鑑と同様に簡便に使用できる、錠前装置を内蔵する印鑑に関する。
【背景技術】
【０００２】  従来より書類認証の技術手段として、所有者の印鑑による捺印認証が一般に行われてきた。【０００３】  また、あるいは印鑑において、捺印者を限定できない課題を解消するべく印鑑および印面を分割し捺印時に接合する（登録実用新案第３０７８２３３号、登録実用新案第３０９３８４７号、特許公開２００３−３０５９３１）発明、考案、印鑑を鍵付きケースに収納或いは係合し、別に有する鍵により解錠してケースから外に出して使用させる（特許公開平８−３４１５３、登録実用新案第３０６３４８２号）などの発明、考案がある。
【発明が解決しようとする課題】
【０００４】  しかし、従来の例では、印鑑には捺印に関して使用者を規制する手段が無いため、印鑑を保有すれば所有者以外でも簡単に捺印でき、簡便である一方、所有者あるいは認証を求める者の意志に反し容易に不正使用され得るか偽造され得るなどの欠点がある。
【０００５】  また、印鑑を分割して捺印時に組み合わせて使用する場合、予め分割した印鑑片を別々な場所に保管する必要があり、使用時に不便を来すのみならず、使用に備えてそれぞれの印鑑片を同所に保管しておいた場合、第三者によって容易に組み合わせ使用される可能性があり、また、その内の一片であっても捺印可能なために例えば独立した認め印として使用される恐れもあり、不正な使用を防止しきれないなどの欠点がある。
【０００６】  さらに、特許公開平８−３４１５３に示す発明を例として説明すると、印鑑の機能として常識的な印面の面積、外径が重視されることから、常に印鑑の外側にケースが付随すると印鑑の外径は印面の外径より太くなって嵩張り、体積が増すことにより携帯に不便となり、ケースの外径を細くすると印面は訂正専用印鑑のように小径となってしまう恐れがあり、ケースの外形が印面の外径を隠してしまうために、視認を妨げ正確な捺印を阻むなどの欠点がある。
また、分離して在る鍵を用いることから、鍵と印鑑ケースとは別々な場所に保管する必要があり、鍵を紛失あるいは忘失してしまった場合は所有者であっても捺印不能になってしまうなどの欠点がある。
さらに、鍵と印鑑を同所に所持保管した場合は第三者によって容易に捺印に使用される可能性があることから、従来の印鑑と同様、不正使用を防止することは出来ない。
また、前記発明の例によると、鍵は錠を回転するためのみに用いる構造となっており、この構造に依れば必ずしも鍵を必要とせず、ゼムクリップやマイナスドライバーなどの器具によって第三者も容易に捺印可能にすることが出来得る。
【０００７】  以上述べたように、錠前に対して分離した鍵を有する不正使用防止構造はドアの錠前に対する鍵か、またはスーツケースの錠前に対する鍵のように、一方が離れて定置しているか、すくなくとも自然な使用状態において錠前と鍵が同所に存在しにくいような場合にのみ有効であり、印鑑のようにバッグやポケットに収納されることが多い物品においては、同様にバッグやポケットに収納されやすい分離して存在する鍵を用いることは互いに同所に共在する恐れを招き、不正使用を完全に防止することが出来ないなどの欠点がある。
【課題を解決するための手段】
【０００８】  本発明は、これらの課題を解決するためになされたものであり、印鑑が所有者の意図に反して捺印に使用されることを防止するとともに、前記捺印を阻止する手段および前記錠前装置を共に印鑑本体内部に構築することにより、従来の印鑑と同様な大きさと利便性、携帯性を保持し、
分離して存在する鍵などの解錠または施錠のための用具を用いる操作を必要とせず、したがって分離した鍵などの保管に煩わされることなく印鑑本体への操作のみで捺印阻止または解錠後に捺印を可能とする、前記印面である捺印阻止対象と前記捺印阻止部材を固止する前記係止手段と、前記解錠手段とを、共に前記印鑑本体内に収納することにより、
前記分離して存在する鍵などの解錠用具を必要としない、錠前装置内蔵の印鑑を提供することを目的とする。
【０００９】  上記課題を解決するために、本発明に基づく錠前装置内蔵の、印鑑の構造における好適な例は、本体内部に複数の、ダイヤルおよび、またはボタン（以下、ダイヤルと称する。）とそれぞれのダイヤルの内側に係合するシリンダー列を具え、さらにそれらのシリンダーを貫く一本の軸を、一方向に向き左右には回動しない状態にして組み合わせ、
軸の一端には軸の径より大径の台面を設け、台面と前記シリンダーとの間にそれぞれの間隔が広がる方向に力が働くようスプリングを配し、シリンダー同士が密接して一方に寄せられるように押しつけると共に、
前記軸の台面側が前記シリンダー列から遠ざかる方向に働くべく設定する。
【００１０】  さらに、前記軸の台面の外方に接してＬ字状のアームを軸にほぼ平行するように配し、前記軸の他方の端部近辺にリセットボタンをシリンダー列終辺のシリンダー端辺に接触可能な位置に配置する。アーム外方の一部には、蓋または筒状部材等を固止する為の、前記係止手段である、固止部が設けてある。
【００１１】  この構造は、前記蓋または前記筒状部材等を固止する働きをする前記係止手段を制御するための錠前装置であり、前記ダイヤルは錠前筐体に前後の移動を規制して配置され、ダイヤル外周に刻まれた溝に食い込み係合し、ダイヤルの回転をクリック状態に停止する板バネが、ダイヤル列に沿って組み込まれてある。
【００１２】  それぞれの前記ダイヤルの内側には歯車状の歯が刻んであり、ダイヤルに内接して係合するシリンダーの一方には円周に沿って鍔形のフランジが設けられ、前記ダイヤルの歯に当たってシリンダーがダイヤルを通り抜け不能に係合するようになされている。
前記シリンダーのフランジには突起が設けてあり、当該突起は通常、前記ダイヤルの歯のいずれかに嵌合されており、故に前記ダイヤルを回動させるとシリンダーも共に回動する。シリンダーの内側、すなわち前記軸と接する穴には一本の通し溝が刻設してあり、軸表面のそれぞれのシリンダーに対応する近辺にはシリンダー毎に接合して前記通し溝を通る凸部が設けてある。
【００１３】  前記ダイヤルの表面にはそれぞれ数字や、アルファベットなどの記号が溝を隔てて記してあり、特定の数字および、または記号の符合（以下、記号の符合という）順序に従って回動させると前記シリンダーおよび前記通し溝も連動して回動し、前記軸の凸部と通し溝の位置が合致したときには凸部が通し溝を通ることが出来るようになり、軸はシリンダー内を前後に移動可能となる。
したがって、たとえば前記ダイヤルおよび前記シリンダーのセットが３組、列に枢着している場合、それぞれの前記通し溝が一直線に揃えば前記軸は３組全てのシリンダー内を移動可能となり、セット１組のみ揃わなくても前記凸部の対応する一つが阻止され、軸のシリンダー内における移動は不可能となる。
【００１４】  また、前記通し溝が一直線に揃った場合は前記シリンダー列も前記軸に沿って前後に移動できることになり、前記シリンダー列の終辺に位置する前記リセットボタンを押してシリンダー列を移動し、前記ダイヤルと前記シリンダーのフランジ突起との嵌合を外すことにより、それぞれのダイヤルとシリンダーの連動が解除され、ダイヤルのみを回動し、新たな記号の符合を設定することが出来る。
次に操作部の位置を戻し、ダイヤルとシリンダーを再び係合状態に戻せば新たな記号の符合に従って前記阻止手段を固止することが可能となり、および解錠が可能となる。
【００１５】  さらに、本発明の錠前装置内蔵の、印鑑は、前記捺印阻止部材を、印面を含む印鑑本体の外周に係合する筒状部材とし、内面に固止溝を刻設することにより、筒状部材を印鑑本体に沿って移動し先端を前記印面より先方に突出させ、前記係止手段を筒状部材の固止溝に係止し、前記内蔵する錠前装置を操作して筒状部材を固止することにより筒状部材の先端が捺印を阻止し、前記ダイヤルおよび、またはボタンを操作して筒状部材の固止を解除することにより、筒状部材を再び移動して印面を捺印可能な状態にする構造を具えることを特徴とする。
【００１６】  また、本発明の錠前装置内蔵の、印鑑は、前記捺印阻止部材を、印面を覆う断面Ｕ字状の蓋とし、蓋の内面に固止溝を刻設した後、前記係止手段を前記固止溝に係止し、前記内蔵する錠前装置を操作して前記蓋を固止することにより前記印面に対し脱却不能状態に覆って捺印を阻止し、前記ダイヤルを操作して蓋の固止を解除することにより、蓋を外して印面を捺印可能な状態にする構造を具えることを特徴とする。
【００１７】  さらに、本発明の錠前装置内蔵の、印鑑は、前記捺印阻止部材を前記軸もしくは軸と同様な移動に関する機能を有し、解錠時に移動する機構に接合し、これらの移動に連動して、捺印阻止時に印面の一部分から印面と同一面か、あるいは更に外方に突出して捺印を阻止し、前記解錠時に印面以内に引き込み捺印可能にする、棒状部材を具える構造を特徴とする。
【００１８】  および、本発明の錠前装置内蔵の、印鑑は、前記捺印阻止部材を、偏心する軸と、偏心する故に軸より長い方向と短い方向を具える回転体となし、前記印鑑本体の外周に設置し、前記回転体の長い方向を前記印面方向に向けて捺印を阻止した上で前記回動を係止し、さらに、前記解錠手段により前記回転体を回動可能にすることにより、捺印を可能とする。
【００１９】  また、本発明の錠前装置内蔵の、印鑑は、本体内部に錠前装置である電子信号処理装置およびメモリを内蔵し、メモリとラインに結ばれたダイヤル基板を側設し、さらに前記係止手段である固止部に続くリード線を具え、誤入力をクリアし、再入力を可能にする操作部ボタンが組み込まれている。
本体内部には、前記固止部と、固止部を突出させ引き込ませるためのコントロールユニットも内蔵し、リード線で錠前装置につながれている。
本体の一部には外部から記号を入力するためのダイヤル、または、身体の一部を認識するセンサーが装着され、必要に応じて電池も装着される。これらを併せて電子制御装置とし、その中には錠前装置を含むものとする。
【００２０】  次に、前記電子制御装置による前記固止部の作動を外部から数字および、または記号を入力するためのダイヤルを例に挙げて説明する。
ダイヤルは印鑑本体の一部に回転可能に装着され、印鑑本体の内部に向いて一つの突起が隆起している。
前記錠前装置の、ダイヤルから伸びた一つの突起に対抗する面にダイヤル基板を具え、基板の面上には前記数字および、または記号と同組の接点が設けられている。
【００２１】  ダイヤルを回動し数字や記号を選択すると、前記突起も共に回動して前記接点の一つに面向する。次に前記錠前装置を操作し、入力ボタンを移動すると、接点の一組は突起に押し付けられ通電し、入力される。
あるいは、前記突起と前記接点の一つを互いに接触させ、次に通電して数字および、または記号を入力し記憶させる操作を繰り返してもよい。
数字や記号の選択を行いながら前記操作を繰り返すことにより、所定の回数まで入力され、錠前装置にそれぞれの信号が順序に従って蓄積される。
【００２２】  回数および数字や記号の選択、順序が、前記記号の符合に合致すると、前記錠前装置につながれたリード線を通じて前記固止部を突出させ引き込ませるためのコントロールユニットに信号が送られ、前記係止手段である固止部を、例えばコントロールユニットが電磁石から成る場合は、電磁作用により引き込ませ、前記捺印の阻止を解除する。なお、固止部が引き込むことにより固止部近辺に設置されるスイッチが通電状態になり、前記誤入力をクリアし、再入力を可能にするボタンの再入力可能にする機能を可動状態に切り替え、再入力状態にするので、ボタンを押しながら新たな記号の符合に変更することが出来る。変更が終了次第、ボタンを離すことにより前記記号の符合が確定する。すなわち、解錠時にのみ、符合の変更が可能となり、変更後は新たな前記解錠暗号手段にのみ基づく。したがって前記固止状態においては解錠暗号手段の変更が不可能な、電子制御装置内蔵の印鑑を特徴とする。
【００２３】  また、このような前記ダイヤルを回動して記号の符合をする方法にとどまらず、携帯電話などの携帯通信端末に蓄積した信号を、前記印鑑本体に内蔵する電子制御装置に向け通信することにより、前記捺印の阻止または阻止の解除を行う構成にしてもよい。
【００２４】  さらに、本発明の錠前装置内蔵の、印鑑は、内蔵する錠前装置の構造の差異に拘わらず何れの形態であっても、その解錠状態において、前記解錠暗号手段である前記記号の符合を変更設定可能とする構造を具えることを特徴とする。
【発明を実施するための最良の形態】
【００２５】  以下、図面に基づき、本発明にかかる錠前装置内蔵の、印鑑の実施形態を詳細に説明する。
図１〜図５は、本発明にかかる印鑑における第１実施形態の構成を示す外形図であり、図１は、印鑑本体１にダイヤル１０を具え、捺印阻止部材である筒状部材２ａが印鑑本体１の外周に係合し、印面１ａ方向に移動して捺印を阻止する状態を示す図。図２は、捺印阻止部材である蓋２ｂが、ダイヤル１０を具える印鑑本体１の印面１ａに対向し離れて配置され、前記蓋２ｂが係止し固止可能とする、突出する係止手段である固止部１５を具える状態を示す図。図３は、捺印阻止部材である回動蓋２ｃが、ダイヤル１０を具える、印鑑本体１の側面に回動可能に装着され、印面１ａを覆って係止手段である固止部１５によって係止して行く状態を示す図。図４は、印面１ａにおいて棒状部材２ｄがスライドして捺印を阻止する状態を示す図であり、または、偏心する軸からなり、その軸に対して長寸面と短寸面を対向して有し、前記偏心する軸を回動させる回転体である、軸移動レバーを具える図。
図５は、印鑑本体１に内蔵する錠前装置の電子制御装置に数字、記号等を入力するダイヤル１０を具え、さらに、錠前装置を直進させ入力を実行する入力ボタン２３ａ、入力のリセットおよび、またはクリアするリセットボタン１７ａ、電池蓋１０ｆ、係止手段である固止部１５を具え、捺印阻止部材である蓋２ｂを配置した状態を示す。【００２６】  図６〜図８は、本発明の印鑑における第２実施形態の構成を示す図である。本実施形態の好適な構成例では、錠前装置３の構成として、ダイヤル１０に内接して係合するシリンダー１１を列状に配し、シリンダー１１の列の中に軸１２を、台面１２ｂと台面１２ｂに最も近いシリンダー１１との間にスプリング１３を間在して通し、軸１２における台面１２ｂと反対方向の端にリセットボタン１７を近置して、記号の符合もしくは符合を外して係止手段の固止解除および符合の変更もしくは固止を可能にする構成となっている。【００２７】  図６は、錠前装置３の分解状態を示す図である。
ダイヤル１０は一個ずつ、それぞれ錠前筐体蓋１８、錠前筐体１９に穿設されたダイヤル溝１９ａに前後移動を阻止されて係合する。この状態ではダイヤル１０の回転は可能になっている。また、ダイヤル１０の外周にはクリック溝１０ｂが刻まれ、錠前筐体１９の側辺にダイヤル１０に平行して設置されている板バネ１６の折り出し部１６ａが押着して、ダイヤル１０はクリック状に一時停止して記号などの符合が確実に出来得るようになる。【００２８】  ダイヤル１０の内側の幅のおよそ半ば迄に歯１０ｃが内向きに等設してあり、歯１０ｃに隣接してフランジ嵌合部１０ｄを穿設してある。また、シリンダー１１の径は歯１０ｃの構成する開口部より細くなっているが、フランジ１１ａの径はそれより大きく、フランジ嵌合部１０ｄに内接する。フランジ１１ａにはフランジ突起１１ｂが、歯１０ｃに向けて突設し、何れかの歯１０ｃの間に噛み合う。【００２９】  シリンダー１１の内側は軸１２を通す穴が明いており、さらに通し溝１１ｃとシリンダー端辺係合部１１ｅが穿設される。一方、軸１２には凸部１２ａを、それぞれのシリンダー１１に対応し、シリンダーの位置に面して一つずつ配置し、前記捺印防止部材の固止状態では凸部係止部１１ｇ内に係止し、ダイヤル１０を回転して全ての通し溝１１ｃを同方向に揃えた場合に限り、軸１２は前後に移動可能となる。なお、軸１２は台面１２ｂにより方向性を制限されており、左右に回動不能ゆえに凸部１２ａは常に同方向に向いて設定される。【００３０】  ダイヤル１０およびシリンダー１１の列に沿って、アーム１４を設置する。アーム１４の回動穴１４ａは、錠前筐体１９に突設するアーム軸１９ｃに回動可能に係止し、同じくアーム軸１９ｃに係止するアームスプリング２０によって確実に外方に押し向けられるように圧されている。
アーム１４の外方側部に、係止手段である、固止部１５を設けることによってアーム１４が内側に回動可能状態になると固止部１５も内側に引っ込み可能となり、捺印阻止部材２、２ａ（図１、図２、図３参照）の固止が解除される。【００３１】  軸１２の台面１２ｂとは反対方向の端にリセットボタン１７が近在している。このリセットボタン１７は、錠前筐体１９のリセットガイド溝１９ｄに、前後左右に可動状態に設置してある。【００３２】  図７および図８は、印鑑本体１内に構成する錠前装置３の断面を示す。
図７において、軸１２の凸部１２ａはシリンダーの端辺１１ｄとシリンダー１１の凸部係止部１１ｆに挟まれ、留まる。そのために軸１２は前後の移動を阻止された状態となっており、アーム１４は台面１２ｂを押し下げることが出来ず、したがって固止部１５が固止溝１５ａ内に固止され、捺印阻止部材２は固止状態に留まり、印面１ａを覆って捺印を阻止する。【００３３】  図８ではそれぞれのシリンダー１１が回転し、通し溝１１ｃが互いに一つの方向に揃った状態を示す。そのために凸部１２ａは通し溝１１ｃ内を前後に移動可能となる。この状態においては、捺印阻止部材２を後退移動させるに従い固止溝１５ａが固止部１５を押し込んで行き、アーム１４が軸１２を押し下げ移動させ、捺印阻止部材２を後退させることにより、印面１ａは捺印可能状態となる。また、固止部１５が押し込まれている状態、すなわち凸部１２ａが通し溝１１ｃ内に留まる状態においては、シリンダー１１およびダイヤル１０の回動は阻止され、捺印可能状態が持続し、スプリング１３およびアームスプリング１９ｃによって軸１２および固止部１５が固止状態に戻るとダイヤル１０は回動可能となり、前記記号の符合を乱して捺印阻止状態にすることが出来る。【００３４】  また、図９、図１０、図１１は本発明の印鑑における第３実施形態の構成を示す。
図９において捺印阻止部材２は筒状部材２ａを用いており、二点鎖線で示す位置は筒状部材２ａが後退移動して印面１ａが捺印可能となることを示す。図１０では、筒状部材２ａの断面と印鑑本体１および固止部１５との係合状態を示しており、固止部１５が固止状態にあることによって筒状部材２ａは印面１ａの外縁を覆い、捺印阻止状態を保っている。
図１１は、軸１２が移動可能な状態にある為、筒状部材２ａの移動に従い固止部１５が押し込まれ、筒状部材２ａは印面１ａより後方に移動して捺印可能な位置になることを示す。【００３５】  および図１２、図１３は本発明の印鑑における第４実施形態を示す。
図１２において、捺印阻止部材２は蓋２ｂの形状を成しており、内周に固止溝１５ａが穿設してあり、印鑑本体１に設けられた固止部１５に係止する構造になされている。
図１３では、回動蓋２ｃが矢印方向に回動して固止部１５に係合し、固止が可能となる。
印鑑本体１に内蔵する錠前装置３および固止部１５の構造には、本発明における第２実施形態に示す構造と同様の構成を採用することが可能である。【００３６】  つぎに、図１４に示す外形図および図１５ないし図１８に示す図によって、本発明の印鑑における第５実施形態の構成を説明する。
図１４の印面１ａから捺印阻止部材２に相当する棒状部材２ｄが突出して、捺印を阻止している。阻止の解除は、ダイヤル１０の数字、および、または記号を符合した後、軸移動レバー２１をダイヤル１０方向に回動し、連動する棒状部材２ｄを印面１ａ以内に引き込むことにより行う。前記符合の変更は、阻止解除状態においてリセットボタン１７を印面１ａ方向にスライドしながらダイヤル１０を回転して行う。また、軸移動レバー２１を印面１ａ方向に戻して棒状部材２ｄを突出させ、ダイヤル１０の数字および、または記号の符合を乱すことにより、捺印阻止状態とする。【００３７】  図１５は、棒状部材２ｄを作動する好適な例である。すでに第２実施形態の説明で述べたように、ダイヤル１０とシリンダー１１は係合し、シリンダー１１の内周には凸部係止部１１ｆおよび通し溝１１ｃが穿設され、軸１２の凸部１２ａが留まり、通し溝１１ｃが揃うと凸部１２ａが移動でき、捺印の阻止、または阻止の解除が可能となる構造になっている。【００３８】  この構造では、凸部１２ａはスプリング１３およびリセットノブ１７によって軸１２および棒状部材２ｄは後退方向に移動し、凸部１２ａは常に通し溝１１ｃ内にあるので、捺印可能状態になっており、軸移動レバー２１を倒し回動して、左右の回動を規制されている軸１２を押し出し、ダイヤル１０を回動して前記記号の符合を乱すことにより捺印阻止状態とする。【００３９】  軸１２の印面１ａに向く先端には台面１２ｂが設けられ、台面の先にはさらに断面Ｔ字状のクランク保持部１２ｃが突設している。当該クランク保持部にはクランク板２ｅが係合する。クランク板２ｅにはクランク保持部１２ｃの頭部をくぐり抜けられる径の穴、同じくクランク保持部１２の軸部を摺動可能な長穴がつながって明いており、一方の端には棒状部材２ｄが突出している。図１５ではクランク板２ｅが２枚となっており、それぞれクランク保持部１２の軸部に、左右の移動および回転自在に通されている。なお、棒状部材２ｄおよびクランク保持部１２は必要に応じて何個装着してもよい。
このために、印面１ａにどのような字を彫っても、適宜な明き部分に通し穴を明けることにより、自由に棒状部材２ｄを通して設定することが出来る。【００４０】  さらに、錠前筐体蓋１８のレバー保持部１８ａに軸移動レバー２１が回動自在に取り付けられており、軸移動レバー２１から続く軸の下辺には軸に対し長手方向と短手方向に偏心して延在する軸移動部２１ａが台面１２ｂに接し得るように配置される。
軸移動部２１ａの長手方向を印面１ａ方向に回動すると対向する短手方向が台面１２ｂに向き、双方向の差により生ずるスペースを、スプリング１３ａによって軸１２が押し出され移動し、連動する棒状部材２ｄも印面１ａ方向に移動して捺印阻止状態となる。【００４１】  図１６では、凸部１２ａがシリンダー１１の凸部係止部１１ｆ内に係止しており、故に軸１２および棒状部材２ｄが突出して後退不能の状態に留まり、捺印を阻止している。図１７は、シリンダー１１が回動し、通し溝１１ｃが凸部１２ａを前後に通す位置に合っており、そのために軸移動レバー２１を回動して軸移動部２１ａの長手方向を台面１２ｂに向けることができ、結果、台面１２ｂおよび棒状部材２ｄが後退して捺印可能となる状態を示す。【００４２】  図１８は、本発明の印鑑における第５実施形態の異なる構成を示す。本構成では、軸１２の台面１２ｂより台面爪１２ｄ、１２ｅが延在しており、それぞれ錠前筐体蓋１８および錠前筐体１９の爪ガイド１８ｄ、１９ａを潜って前後摺動可能に係止している。
台面１２ｂにはクランク保持部１２ｃが設けられ、クランク２ｅおよび棒状部材２ｄが回動自在に係止し、印面１ａの穴２ｆにスライド可能に嵌合している。
説明を容易にするために図では省略しているが、錠前筐体蓋１８、錠前筐体１９の外側に印鑑本体１が被さっており、印鑑本体１のさらに外側に突出する、台面爪１２ｄ、１２ｅ付近に軸移動リング２２が嵌合している。
軸移動リング２２の内側には、らせん溝２２ａが穿設してあり、当該溝のそれぞれに台面爪１２ｄ、１２ｅが印鑑本体１を突き抜けて係合し、軸移動リング２２を回転するに従い、台面爪１２ｄ、１２ｅがらせん溝２２ａ内を摺動し、棒状部材２ｄは前後に移動する。
凸部１２ａが凸部係止部１１ｆに留まることにより棒状部材２ｄが突出して捺印を阻止し、軸移動リング２２の回動は固止され、凸部１２ａが通し溝１１ｃ内を移動可能の状態では、当該軸移動リングを回動して棒状部材２ｄを移動し、捺印可能とすることが出来る。【００４３】  図１９および図２０において、本発明の印鑑における第６の実施形態の構成を示す。すなわち、図１９では軸移動レバー２１の長寸面が印面１ａより外方に突出しており、軸移動レバー２１の回動が凸部１２ａの係止により固止され、捺印が阻止されている。図２０では凸部１２ａが通し溝１１ｃ内を後退可能とすることにより、軸移動レバー２１の長寸面を印面１ａから遠い方向に回動して捺印の阻止を解除している。図２１は、図１９における軸移動レバー２１の外形における状態を示している。【００４４】  本発明の実施形態における、ダイヤルを操作して、前記記号の符合により前記係止手段の固止または固止を解除する為の錠前装置は、上述の例に限定されるものではなく、様々な構造が考えられる。
外部より操作して数字および、または記号を符合する符合状態と、当該記号の符合状態に係合して連動し、正しく符合したときにのみ、他部品の移動を可能とする部品、さらに当該部品が他部品の移動を可能とする状態にあるときに、当該記号の符合状態と当該部品との係合の状態を変更することにより新たな前記記号の符合状態を選択できる、ダイヤル錠などの錠前装置に関しては、その基本概念は今までに知られており、前記錠前装置においては、実施する構造の差異や部品形状、レイアウト等の２次的な要素によって差別化がなされているに過ぎない。
本発明の実施形態の前記錠前装置に関しても、図６〜図８、および図１５、図１８に示すような、ダイヤル１０とシリンダー１１による係合構造にとどまらず、ダイヤル１０が例えば円盤状を成しており、シリンダー１１が例えば円盤体を成している部品であり、互いに係止して共に回動し、数字等の符合または符合を乱すことを可能に為し、当該部品の一部に溝または突起を具え、前記円盤状を成すダイヤルを当該部品と共に回動し、具える溝または突起を揃えた状態に置き、当該部品に当接する他部品が左右もしくは前後に移動可能に為し、前記係止手段の固止を解除するとともに、前記円盤状を成すダイヤルと当該部品の係合を一時的に外し、前記円盤状を成すダイヤルのみ回動することによって前記記号の符合の変更を可能にする構造にしてもよい。【００４５】  また、分解図２２に基づいて本発明の印鑑における第７実施形態の構成を述べる。
本例では、印鑑本体１内に錠前装置３が収納または係止される。錠前装置３は、印面１ａに向かって固止部１５を具えるコントロールユニット１５ａ、リード線２３ｃ、電子制御装置２４、基板２４ｂ、入力部１０ｅ、ダイヤル１０、電池４、電池蓋１０ｆの順に配置され、入力部１０ｅおよびダイヤル１０は、ピン１０ｉによって印鑑本体１に係止され、入力部１０ｅに付設するクリック溝とダイヤルスプリング１０ｇとの係合によりダイヤル１０がクリック状に停止し、記号の符合が印鑑本体１にある指標１０ｈに対して容易に為される仕組みになっている。【００４６】  入力部１０ｅの位置を定め、次にノブ２４ａを作動させ電子制御装置２４およびダイヤル基板２４ｂを入力部１０ｅに当接することにより、ダイヤル基板２４ｂ上の入力部１０ｅに相対する接点において入力が成される。これらの作業を繰り返すことにより、前記記号の符合を行う。ダイヤル基板２４ｂと入力部１０ｅを当接するには双方間の摺動に依ってもよく、当接毎にスイッチ等により入力を行ってもよい。
符合が正しい場合は電子制御装置２４からコントロールユニット１５ａに信号が送られ、固止部１５を奥に引き込ませ、捺印防止部材２ｂ〔図示省略〕の係止を解除し、印面１ａを捺印可能とする。また、同状態にてリセットスイッチ１７ａを押しながら、ダイヤル１０を回動し新しい数字等を選びノブ２４ａを作動させることにより、前記記号の符合を変更することができる。
固止部１５を固止状態に戻すには、再びノブ２４ａを作動し、前記記号の符合を乱す。その後固止部を乗り越え捺印防止部材２ｂを係止すれば、符合を再度行わない限り捺印可能にはならない。
図２３は、本実施形態の外形図である。【００４７】  次に図２４〜図２６により本発明の印鑑における第８実施形態について述べる。
図２４は固止部１５が固止状態にある。軸１２の凸部１２ａがシリンダー１１内の凸部係止部１１ｆに留まっており、軸１２および台面１２ｂは前後の移動を止められ、故にアーム１４と固止部１５は捺印防止部材２ｂを係止し、固止している。【００４８】  この状態から、図２５に示すようにダイヤルの数字および、または記号を符合し、通し溝１１ｃが凸部１２ａおよび軸１２を前後に通し得る状態に為し、アーム１４および固止部１５を回動して捺印防止部材２ｂを印鑑本体１から外せる状態にして図２６に示すようにリセットボタン１７を押し下げシリンダー１１列を移動すると、ダイヤル１０は移動できずに留まるため、シリンダー１１列とダイヤル１０列が互いに離れ、係合が外れ、ダイヤル１０は自由に回動し、改めて数字および、または記号を符合し直すことができる。
その後、図２５に示すようにリセットボタン１７を戻してから捺印防止部材２ｂを係合し、図２４に示すような固止状態にすることによって、新たな前記符合の変更に基づく捺印防止が可能となる。
【発明の効果】
【００４９】  以上詳細に説明したとおり、本発明の錠前装置内蔵の、印鑑は、本来の所有者の意図に反してみだりに使用されることを防止する印鑑であり、捺印を阻止する手段と、錠前装置を共に内蔵する印鑑とすることにより、従来の印鑑と何等の変わりない収納性と携行性を具えるだけでなく、他に鍵などの分離所持しなければならない前記解錠用具を必要とせず、したがって、鍵などの紛失や忘失の心配にとらわれない、安全で簡便な印鑑を提供することにより、従来より印鑑の欠点とされた盗用の問題と、印鑑の利点とされる代理者に印証を託せる、携帯に便利である、模倣しにくいなどの長所を一挙に解決実現する。
【図面の簡単な説明】
【００５０】
【図１】本発明の第１の実施形態の構成を示す外形図である。
【図２】本発明の第１の実施形態の構成を示す外形図である。
【図３】本発明の第１の実施形態の構成を示す外形図である。
【図４】本発明の第１の実施形態の構成を示す外形図である。
【図５】本発明の第１の実施形態の構成を示す外形図である。
【図６】本発明の第２の実施形態の構成を示す分解図である。
【図７】本発明の第２の実施形態の構成を示す断面図である。
【図８】本発明の第２の実施形態の構成を示す断面図である。
【図９】本発明の第３の実施形態の構成を示す外形図である。
【図１０】本発明の第３の実施形態の構成を示す断面図である。
【図１１】本発明の第３の実施形態の構成を示す断面図である。
【図１２】本発明の第４の実施形態の構成を示す外形図である。
【図１３】本発明の第４の実施形態の構成を示す外形図である。
【図１４】本発明の第５の実施形態の構成を示す外形図である。
【図１５】本発明の第５の実施形態の構成を示す分解図である。
【図１６】本発明の第５の実施形態の構成を示す断面図である。
【図１７】本発明の第５の実施形態の構成を示す断面図である。
【図１８】本発明の第５の実施形態の構成の変形例を示す分解図である。
【図１９】本発明の第６の実施形態の構成と作動を示す断面図である。
【図２０】本発明の第６の実施形態の構成と作動を示す断面図である。
【図２１】本発明の第５の実施形態の構成を示す外形図である。
【図２２】本発明の第７の実施形態の構成を示す分解図である。
【図２３】本発明の第７の実施形態の構成を示す外形図である。
【図２４】本発明の第８の実施形態の構成を示す断面図である。
【図２５】本発明の第８の実施形態の構成を示す断面図である。
【図２６】本発明の第８の実施形態の構成を示す断面図である。
【符号の説明】
１      印鑑本体
２      捺印阻止部材
３      錠前装置
４      電池
１ａ    印面
２ａ    筒状部材
２ｂ    蓋
２ｃ    回動蓋
２ｄ    棒状部材
２ｅ    クランク
２ｆ    穴
１０    ダイヤル
１０ａ  数字および、または記号
１０ｂ  クリック溝
１０ｃ  歯
１０ｄ  フランジ嵌合部
１０ｅ  入力部
１０ｆ  電池蓋
１０ｇ  ダイヤルスプリング
１０ｈ  指標
１０ｉ  ピン
１１    シリンダー
１１ａ  フランジ
１１ｂ  フランジ突起
１１ｃ  通し溝
１１ｄ  シリンダー端辺
１１ｅ  シリンダー端辺係合部
１１ｆ  凸部係止部
１２    軸
１２ａ  凸部
１２ｂ  台面
１２ｃ  クランク保持部
１２ｄ、１２ｅ  台面爪
１３    スプリング
１４    アーム
１４ａ  回動穴
１５    固止部
１５ａ  コントロールユニット
１６    板バネ
１６ａ  折り出し部
１７    リセットボタン
１７ａ  リセットスイッチ
１８    錠前筐体蓋
１８ａ  レバー保持部
１８ｂ  リセット時係止部
１８ｃ  ダイヤル穴
１８ｄ、１９ａ  爪ガイド
１９    錠前筐体
１９ｂ  ダイヤル等置溝
１９ｃ  固止部穴
１９ｄ  リセットガイド溝
１９ｅ  アームスプリング係止部
１９ｆ  アーム軸
２０    アームスプリング
２１    軸移動レバー
２１ａ  軸移動部
２２    軸移動リング
２２ａ  らせん溝
２３    リード線
２４    電子制御装置
２４ａ  ノブ
２４ｂ  ダイヤル基板
【図１】
2006035838.tif 000003
【図２】
2006035838.tif 000004
【図３】
2006035838.tif 000005
【図４】
2006035838.tif 000006
【図５】
2006035838.tif 000007
【図６】
2006035838.tif 000008
【図７】
2006035838.tif 000009
【図８】
2006035838.tif 000010
【図９】
2006035838.tif 000011
【図１０】
2006035838.tif 000012
【図１１】
2006035838.tif 000013
【図１２】
2006035838.tif 000014
【図１３】
2006035838.tif 000015
【図１４】
2006035838.tif 000016
【図１６】
2006035838.tif 000017
【図１７】
2006035838.tif 000018
【図１９】
2006035838.tif 000019
【図２０】
2006035838.tif 000020
【図１５】
2006035838.tif 000021
【図１８】
2006035838.tif 000022
【図２１】
2006035838.tif 000023
【図２３】
2006035838.tif 000024
【図２４】
2006035838.tif 000025
【図２５】
2006035838.tif 000026
【図２６】
2006035838.tif 000027
【図２２】
2006035838.tif 000028